(57)【要約】【目的】模型歯の着脱を繰り返しても模型歯の固定力が低下しない構造を有した歯科実習用模型歯植立装置を提供する。【解決手段】本発明の装置にあっては、歯牙の形状を模して造形された歯冠部１ａと歯根部１ｂとを有する模型歯１が、当該模型歯の歯根部が挿入可能な植立穴２が設けられた模型歯台３に取り外し可能に固定されており、植立穴の内壁面又は内壁面近傍の少なくとも一つの磁性体４が設けられていて、模型歯の歯根部側には、当該模型歯を植立穴に植立した際に磁性体４と対応する位置に、当該磁性体４と互いに引き合うもう一つの磁性体４又は、磁性体に引き付けられる材質より成る着磁体５が設けられている。この際、模型歯の歯根部の少なくとも一つの磁性体４を設け、模型歯台側の対応する位置に、磁性体４と引き合う磁性体４’又は、磁石に引き付けられる材質より成る着磁体５を設けても良い。【選択図】  図１
2004271669.tif 000002
【特許請求の範囲】
【請求項１】
歯牙の形状を模して造形された歯冠部と歯根部とを有する模型歯が、当該模型歯の歯根部が挿入可能な植立穴を有する模型歯台に取り外し可能に固定された模型歯植立装置であって、前記模型歯台における植立穴の内壁面又は内壁面近傍に少なくとも一つの磁性体が設けられており、前記模型歯の歯根部側には、当該模型歯を植立穴に植立した際の前記磁性体と対応する位置に、当該磁性体と互いに引き合うもう一つの磁性体又は、磁性体に引き付けられる材質より成る着磁体が設けられていることを特徴とする歯科実習用模型歯植立装置。
【請求項２】
歯牙の形状を模して造形された歯冠部と歯根部とを有する模型歯が、当該模型歯の歯根部が挿入可能な植立穴を有する模型歯台に取り外し可能に固定された模型歯植立装置であって、前記模型歯の歯根部に少なくとも一つの磁性体が設けられており、前記模型歯台における植立穴の内壁面又は内壁面近傍には、前記模型歯を植立した際の前記磁性体と対応する位置に、当該磁性体と互いに引き合うもう一つの磁性体又は、磁性体に引き付けられる材質より成る着磁体が設けられていることを特徴とする歯科実習用模型歯植立装置。
【発明の詳細な説明】
【０００１】
【発明の属する技術分野】
本発明は、模型歯あるいは、植立穴が設けられた模型歯台に設置された磁性体と、模型歯あるいは、植立穴が設けられた模型歯台に設置された磁性体又は着磁体との間の磁力を利用することによって、模型歯を簡単かつ確実に模型歯台（顎模型）に固定でき、歯科実習後の模型歯が取り外しできることにより繰り返し使用な植立固定装置（歯科実習用模型歯植立装置）に関するものである。
【０００２】
【従来の技術】
従来より、歯科大学や歯科技工士学校等の教育分野においては歯科実習用模型が広く用いられており、模型歯が顎模型に植立固定された装置としては、例えば以下の特許文献に挙げられているものがある。
【０００３】
【特許文献１】
特許第２５０６２１２号公報
【特許文献２】
特開２００２−６２８号公報
【０００４】
前記特許文献１には、歯根部より突き出したシャンクに設けた凹部に板バネを押しつけて模型歯と模型歯台となる顎模型を固定する構造の模型歯固定装置が開示されている。また、前記特許文献２には、歯根部に突起を設け、模型歯台となる顎模型に設けた窪みに歯根部の突起を整合させて固定を行う模型歯固定装置が開示されている。しかしながら、これら特許文献に開示されている模型歯固定装置の場合には、模型歯あるいは模型歯から突出したシャンクと模型歯台自体、あるいは板バネとの間に生じる摩擦力を利用して模型歯及び模型歯台を固定するため、模型歯の着脱を繰り返すとそれぞれの摩耗により模型歯の固定力が低下してくるという問題点があった。
【０００５】
【発明が解決しようとする課題】
このようなことから、本発明者等は、模型歯の着脱を繰り返しても模型歯の固定力が低下しない模型歯固定装置に関して鋭意検討を行った結果、模型歯台における植立穴の内壁面又は内壁面近傍の任意部分又は、模型歯の歯根部側の任意部分に少なくとも一つの磁性体を設ける一方で、模型歯を模型歯台に植立した際の当該磁性体と対応する位置に、この磁性体と互いに引き合うようにして（Ｎ極とＳ極とが対向するようにして）もう一つの磁性体を設けるか、あるいは、磁性体に引き付けられる材質より成る着磁体（例えば鉄製の小板など）を設ける構造として模型歯を植立穴に固定した場合には、磁力により模型歯が確実に固定できて任意に模型歯の着脱が行えるだけでなく、模型歯の着脱時における模型歯と模型歯台の磨耗がないために模型歯の固定力の低下が起こらず、固定力が維持されることを見い出して本発明を達成した。
【０００６】
【課題を解決するための手段】
すなわち、本発明の歯科実習用模型歯植立装置は、歯牙の形状を模して造形された歯冠部と歯根部とを有する模型歯が、当該模型歯の歯根部が挿入可能な植立穴を有する模型歯台に取り外し可能に固定された模型歯植立装置であって、模型歯台における植立穴の内壁面又は内壁面近傍に少なくとも一つの磁性体が設けられており、模型歯の歯根部側には、当該模型歯を植立穴に植立した際の磁性体と対応する位置に、当該磁性体と互いに引き合うもう一つの磁性体又は、磁性体に引き付けられる材質より成る着磁体が設けられていることを特徴とする。
尚、本発明における「着磁体」とは、永久磁石や電磁石等の磁性体に引き付けられる金属粉末や、このような金属から成る各種形状の成形体やフィルム状体、このような金属の粉末が練り込まれた樹脂シート等をいう。又、「模型歯台における植立穴の内壁面近傍」とは、内壁面よりも若干内側あるいは外側で内壁面と同一面に磁性体の磁力が及ぶ範囲をいい、磁性体と内壁面間に非磁性体を介在させることも可能である。
【０００７】
又、本発明の歯科実習用模型歯植立装置は、歯牙の形状を模して造形された歯冠部と歯根部とを有する模型歯が、当該模型歯の歯根部が挿入可能な植立穴を有する模型歯台に取り外し可能に固定された模型歯植立装置であって、模型歯の歯根部に少なくとも一つの磁性体が設けられており、模型歯台における植立穴の内壁面又は内壁面近傍には、模型歯を植立した際の前記磁性体と対応する位置に、当該磁性体と互いに引き合うもう一つの磁性体又は、磁性体に引き付けられる材質より成る着磁体が設けられていることを特徴とするものでもある。
【０００８】
【発明の実施の形態】
以下、本発明の歯科実習用模型歯植立装置の好ましい一例における内部構造を図面に示して本発明を説明するが、本発明はこれに限定されるものではない。
図１（ａ）〜（ｄ）及び図２（ａ）〜（ｄ）は、本発明の歯科実習用模型歯植立装置の好ましい一例における内部構造を示す図（部分破断を含む）であり、図面において黒く塗りつぶされている部分は磁性体を示し、細かい斜線の入った部分は着磁体を示している。
図１（ａ）に示される本発明の模型歯植立装置の場合、天然歯を模して造形された単層あるいは多層構造の歯冠部１ａと、人工的に造形された歯根部１ｂとから成る模型歯１側に小ブロック状の磁性体（磁石）４が設けられており、模型歯台２に設けられた植立穴３の内壁面（図１（ａ）においては底壁面）の対応位置に小ブロック状の着磁体５が埋め込まれた状態で設けられていて、磁性体４と着磁体５とが磁力により接合することにより、模型歯１が模型歯台２の植立穴３に確実に固定できるようになっている。この際、本発明では、模型歯１側に着磁体５が設けられて、模型歯台２に設けられた植立穴３の内壁面の対応位置に磁性体４が設けられても良く、又、模型歯１の歯根部１ｂの側面に磁性体４に設けられ、これに対応する植立穴３の側壁面に着磁体５が設けられても良い。
本発明の模型歯植立装置にあっては、歯科実習が終わった模型歯１を模型歯台２の植立穴３から取り外す際、模型歯１の歯冠部１ａの部分を掴んで上方へ引き上げれば良く、模型歯１の交換が簡単に行える。
【０００９】
本発明における磁性体４は、模型歯１あるいは模型歯台２の一方又は両方に設置することができるが、模型歯１と模型歯台２の両方に設置する場合には、Ｓ極とＮ極が互いに引き合うようにして、即ち、Ｓ極とＮ極が対向するようにして設置され、磁性体４としては、フェライト磁石、アルニコ磁石、ネオジム磁石、サマコバ磁石、ゴム磁石等の永久磁石や電磁石等の一般的に公知のものを用いることができる。
一方、本発明における着磁体５としては、鉄、鋼、一部のステンレス等の着磁性（磁性体に対し磁力でひっ付く性質）を有する金属、あるいは着磁性を有する金属の粉末を練り込んだ樹脂シート等を用いることができる。
ところで、このような磁性体４及び着磁体５の形状に関しては特に限定されるものではなく、立方体、直方体、円柱、球、円錐形等の塊形状物（立体形状物）や、筒状体、薄板、シート、フィルム、粉末等の形状をはじめ、バネやネジ等の機能性を有した形状等、必要に応じて適宜選択される。
【００１０】
尚、上記の磁性体４及び着磁体５の固定方法に関しては、塊形状物や筒状体等は、模型歯１又は模型歯台２の底面や側面に埋没するように設置され、薄板やシートやフィルムは、模型歯１又は模型歯台２の底面や側面を覆うようにして設置される。この際、磁性体４や着磁体５は、接着剤や粘着テープ等を用いて接着されても良く、模型歯１又は、模型歯台２に設けられた植立穴３に圧入固定されても良い。さらには、各種の磁性体や着磁体は、他の材料からなる模型歯の歯根部や模型歯台が成形される時に、これらの内部に埋没するように一体的に設置されていても良い。又、磁性体４や着磁体５が粉末の場合には、模型歯１又は模型歯台２の特定位置に配合されたり、当該粉末を含有した塗料などにより模型歯１又は模型歯台２の特定部分の表面に塗布される。
磁性体及び着磁体あるいは互いに引き合う磁性体間の吸着力は、その力が強いほど、模型歯及び模型歯台をより確実に固定することが可能であり、ここでは、磁性体と着磁体の吸着力が０．１〜１０Ｎとすることが望ましく、さらには０．５〜３Ｎとすることがより好ましい。
【００１１】
図１（ｂ）の装置の場合には、模型歯台２の植立穴における側壁面に小ブロック状の磁性体（磁石）４が埋設されており、模型歯１の歯根部１ｂの外側面における磁性体４と対応する位置には、磁性体４と互いに引き合うようにして小ブロック状の磁性体（磁石）４’が埋設されており、２つの磁性体４及び４’の間に働く磁力によって模型歯１の固定が達成されている。
又、図１（ｃ）の装置の場合には、模型歯台２の植立穴における底壁面に小ブロック状の磁性体（磁石）４が埋設されており、模型歯１の歯根部１ｂの底面部分に着磁体（着磁性プレート）５が設けられている。もちろん、本発明では、模型歯台２の植立穴における底壁面に小板状の着磁体５が設けられて、模型歯１の歯根部１ｂの底面部分に磁性体４が埋設されても良い。
更に、図１（ｄ）の装置の場合には、模型歯台２の植立穴における対向する側壁面にそれぞれ小ブロック状の磁性体（磁石）４が埋設されており、模型歯１の歯根部１ｂの周側面を取り巻くようにして帯環状の着磁体（着磁性テープ）５が設けられている。このような図１（ｄ）の装置では、磁性体４と着磁体５との固定箇所が２か所存在しており、模型歯１の固定がより確実なものとなる。
【００１２】
次に、図２（ａ）〜（ｄ）に例示した構造の本発明の模型歯植立装置について説明する。
図２（ａ）の装置の場合、図１（ｃ）の装置における小板状の着磁体５の代わりに、模型歯１の歯根部１ｂの底面部分に小コイルバネ状の着磁体５が埋設されており、又、図２（ｂ）の装置の場合には、図１（ｃ）の装置における小板状の着磁体５の代わりに、模型歯１の歯根部１ｂの歯軸位置にネジ状の着磁体５が設けられている。
更に、図２（ｃ）の装置の場合には、模型歯台２における植立穴の側壁面と底壁面の２か所に小ブロック状の磁性体（磁石）４が設けられ、模型歯植立時にこれら磁性体４と対応する歯根部１ｂの側面部分と底面部分には小ブロック状の着磁体５が埋設されており、２か所に設けられた磁性体４と着磁体５の間に作用する磁力によって、安定した模型歯１の固定が達成される。
又、図２（ｄ）の装置の場合には、模型歯台２における植立穴の側壁面の対向する２か所に小ブロック状の磁性体（磁石）４が設けられ、模型歯植立時にこれら磁性体４と対応する歯根部１ｂの側面部分にも小ブロック状の磁性体（磁石）４’が埋設されており、２か所に設けられた磁性体４と磁性体４’の間に作用する磁力によって模型歯１の安定した固定が達成される。
尚、図１及び図２には、磁性体４と着磁体５、又は磁性体４と磁性体４’による固定箇所が１か所又は２か所である構造のものしか例示されていないが、模型歯１と模型歯台２のそれぞれに、３か所以上の磁性体４と着磁体５、又は磁性体４と磁性体４’が設けられても良い。
【００１３】
本発明における模型歯１を構成する材料としては、一般的に公知のものを用いることが可能であり、例えばセラミックス等の磁器あるいはアクリル、ポリスチレン、ポリカーボネート、アクリロニトリルスチレンブタジエン（ＡＢＳ）共重合体、ポリプロピレン、ポリエチレン、ポリエステル等の熱可塑性やメラミン、ユリア、不飽和ポリエステル、フェノール、エポキシ等の熱硬化性等の合成樹脂材料、さらには、これらの主原料にガラス繊維、カーボン繊維、パルプ、合成樹脂繊維等の有機、無機の各種強化繊維、タルク、シリカ、マイカ、炭酸カルシウム、硫酸バリウム、アルミナ等の各種充填材、顔料や染料等の着色剤、あるいは耐候剤や帯電防止剤等の各種添加剤を添加したものを用いることができる。
【００１４】
一方、本発明における模型歯台２については合成樹脂、金属、ゴム、石膏等の各種材料を使用して出来たものが使用でき、人間の顎構造を模して造形された顎模型の歯茎に相当するものや、模型歯の外形形状を測定するための形状測定用ホルダー（切削実習結果をレーザー光等を用いて評価するための模型歯植立固定台で、この固定台を測定機にセットして測定が行われるもの）等が挙げられる。
【００１５】
【発明の効果】
上述の構造を有した本発明の歯科実習用模型歯植立装置にあっては、磁性体−磁性体間又は磁性体−着磁体間の磁力によって植立される模型歯の固定がなされるので、模型歯の着脱を繰り返しても模型歯と模型歯台が共に磨耗せず、模型歯の固定力の低下を来すことがなく、しかも磁力によって模型歯が確実に固定ができ、実習後の模型歯を取り替えることにより装置が歯科実習用に繰り返して使用できるという利点を有している。
【図面の簡単な説明】
【図１】（ａ）〜（ｄ）はいずれも、本発明の歯科実習用模型歯植立装置の好ましい具体例における内部構造を示す図であり、模型歯１が模型歯台２に設けられた植立穴に植立固定された状態が示されている。
【図２】（ａ）〜（ｄ）はいずれも、本発明の歯科実習用模型歯植立装置の好ましい具体例における内部構造を示す図であり、模型歯１が模型歯台２に設けられた植立穴に植立固定された状態が示されている。
【符号の説明】
１    模型歯
１ａ  歯冠部
１ｂ  歯根部
２    模型歯台
３    植立穴
４、４’磁性体
５    着磁体
【図１】
2004271669.tif 000003
【図２】
2004271669.tif 000004